(57)【要約】【課題】断熱層の背面側にある透湿防水シートや通気層確保用部材を破損することなく、断熱層の厚さを確認することができるウレタン厚さ確認ピンを提供すること。【解決手段】現場発泡ウレタンを吹き付けてなる断熱層の厚みを確認するために、該断熱層に差し込んで使用する、ウレタン厚さ確認ピンであって、ピン先端を非鋭利に形成したことを特徴とする。【選択図】図１
2016197073.tif 000002
【特許請求の範囲】
【請求項１】
現場発泡ウレタンを吹き付けてなる断熱層の厚みを確認するために、該断熱層に差し込んで使用する、ウレタン厚さ確認ピンであって、
ピン先端を非鋭利に形成したことを特徴とする、ウレタン厚さ確認ピン。
【請求項２】
ピン先端の形状を湾曲面または平坦面で形成したことを特徴とする、請求項１に記載のウレタン厚さ確認ピン。
【請求項３】
柱または間柱の間に取り付けた、透湿防水シートと、
前記透湿防水シートに直接現場発泡ウレタンを吹き付けてなる断熱層と、
前記断熱層に差し込む、請求項１または２に記載のウレタン厚さ確認ピンと、
を少なくとも具備してなる、断熱構造。
【請求項４】
垂木間に取り付けた、段ボールを主材とする通気層確保部材と、
前記透湿防水シートに直接現場発泡ウレタンを吹き付けてなる断熱層と、
前記断熱層に差し込む、請求項１または２に記載のウレタン厚さ確認ピンと、
を少なくとも具備してなる、断熱構造。
【発明の詳細な説明】
【技術分野】
【０００１】
本発明は、建築物に設けるウレタン断熱層の厚さを確認するためのウレタン厚さ確認ピン、および該ウレタン厚さ確認ピンを用いた断熱構造に関する。
【背景技術】
【０００２】
ウレタン断熱層の厚さを確認するための、ウレタン厚さ確認ピンとして、以下の特許文献１に記載のピンがある。
このピンの使用方法について説明する。まず、ピンの長さを断熱層の所望の厚さに設定したウレタン厚さ確認ピンを用意し、このピンをコンクリート壁の表面に施工するウレタン製の断熱層に差し込んで、ピン先端がコンクリート壁に達した際のピンと断熱層との相対位置を確認することで、断熱層が所望の厚さを備えているか否かを確認するものである。
【先行技術文献】
【特許文献】
【０００３】
【特許文献１】実用新案登録第３０７３５３４号公報
【発明の概要】
【発明が解決しようとする課題】
【０００４】
上記した従来のウレタン厚さ確認ピンは、断熱層へ差し込みが容易となるようにピンの先端を鋭利に形成している。
しかし、近年、現場発泡ウレタンの断熱層の背面側にある構造要素が、コンクリート壁ではなく、透湿防水シートや、段ボールを主材とする通気層確保用部材などの、軟質な材料で構成している場合がある。
このとき、従来のウレタン厚さ確認ピンを用いると、ピンの差し込み時に、ピンの先端が透湿防水シートや通気層確保部材を突き破ってしまう恐れがあった。
ピンが透湿防水シートや通気層確保部材を突き破ってしまうと、断熱層の厚さを正確に確認することができなくなるだけでなく、透湿防水シートや通気層確保部材に空いた穴から水が入り込み、断熱層の劣化や、断熱性能の低下を引き起こす問題が発生する。
【課題を解決するための手段】
【０００５】
上記課題を解決すべくなされた本願の第１発明は、現場発泡ウレタンを吹き付けてなる断熱層の厚みを確認するために、該断熱層に差し込んで使用する、ウレタン厚さ確認ピンであって、ピン先端を非鋭利に形成したことを特徴とする、ウレタン厚さ確認ピンを提供する。
また、本願の第２発明は、ピン先端の形状を湾曲面または平坦面で形成したことを特徴とする。
また、本願の第３発明は、柱または間柱の間に取り付けた、透湿防水シートと、前記透湿防水シートに直接現場発泡ウレタンを吹き付けてなる断熱層と、前記断熱層に差し込む、前記第１または第２発明に記載のウレタン厚さ確認ピンと、を少なくとも具備してなる、断熱構造を提供する。
また、本願の第４発明は、垂木間に取り付けた、段ボールを主材とする通気層確保部材と、前記透湿防水シートに直接現場発泡ウレタンを吹き付けてなる断熱層と、前記断熱層に差し込む、第１または第２発明に記載のウレタン厚さ確認ピンと、を少なくとも具備してなる、断熱構造を提供する。
【発明の効果】
【０００６】
本発明によれば、ピンの先端を非鋭利に形成することで、断熱層の背面側にある透湿防水シートや通気層確保部材の破損を防止し、断熱層の厚さを正確に確認するとともに、断熱層の劣化や、断熱性能の低下を回避することができる。
【図面の簡単な説明】
【０００７】
【図１】ウレタン厚さ確認ピンの概略斜視図。
【図２】ウレタン厚さ確認ピンを断熱層に差し込んだ状態を示す断面図。
【発明を実施するための形態】
【０００８】
以下、図面を参照しながら、本発明のウレタン厚さ確認ピンの詳細について説明する。
【実施例】
【０００９】
＜１＞全体構成
本発明に係るウレタン厚さ確認ピンＡは、押圧部１０と、押圧部１０の背面から突出するように設けるピン２０とからなる。
【００１０】
＜２＞押圧部
押圧部１０は、ウレタン厚さ確認ピンＡの差し込み時に、指で押さえる箇所である。
【００１１】
［表示部］
押圧部１０の前面には、ピン２０の長さを記載する表示部１１を設けることができる。表示部１１は、押圧部１０の前面に印字してもよいし、押圧部１０の前面を数字形状にくりぬいて形成してもよい。
【００１２】
［押圧部の背面形状］
押圧部１０の背面は、前記したピン２０を除いて、平坦に形成してもよいし、前記した特許文献１に記載するように湾曲状を呈するように形成してもよい。
【００１３】
［押圧部の外形］
押圧部１０の外形は円形、多角形、その他の形状を適宜採用することができる。
【００１４】
［天地の確認手段］
また、表示部１１に付した数字の読み間違いが無いように、ウレタン厚さ確認ピンＡの天地を確認するための手段を設けてもよい。この印は、押圧部１０の外形を変形させる方法や、表示部１１に別途印を設ける方法などが考えられる。
【００１５】
＜３＞ピン
ピン２０は、断熱層の内部に差し込まれる部材である。
ピン２０の先端２１は非鋭利に形成する。
この「非鋭利」とは、後述する透湿防水シートや通気層確保部材が、人力によるピン２０の押し込みで破損しないという作用を呈する先端形状であることを意図する。
よって、この先端形状には、当該作用を呈する範囲で種々の形状が含まれ、その例として湾曲面を有しているもの（図１（ａ））や、平坦面を有しているもの（図１（ｂ））など、透湿防水シートや通気層確保部材との接触時に、一定の接触面積を確保することで面圧の分散が可能な形状が含まれる。
【００１６】
＜３．１＞ピンの形状
ピン２０の断面形状は、円形、多角形、その他種々の形状を採用することができる。
ピン２０は、押圧部１０との接続側から先端２１側に向けて、同形状であってもよいし、細くなるように構成してもよい。
【００１７】
＜３．２＞ピンの長さ
本発明に係るウレタン厚さピンＡの長さＬは、例えば１０ｍｍ〜１６０ｍｍまで５ｍｍピッチで用意しておき、求められる断熱層の厚さに合わせて適した長さのウレタン厚さピンＡを用いればよい。
【００１８】
＜３．３＞ピン先端の大きさ
ピン２０の先端２１の大きさの下限は、後述する透湿防水シートや通気層確保部材が、人力によるピン２０の押し込みによる破損を回避できればよく、その範囲内であれば特に制限は設けない。
また、ピン先端２０の先端２１の大きさの上限は、断熱層への差し込みが困難でなければよく、その範囲内であれば特に制限は設けない。
また、断熱層が硬いほど、作業員によるピンの押圧力は大きくなるため、前記ピンの大きさの上下限は、断熱層の硬さによっても適宜変わることになる。
【００１９】
なお、ピン先端の大きさの一例について以下に説明する。
（１）先端２１が円形の平坦面を有している場合。
先端部の直径が０．３ｍｍ以上、さらに好ましくは０．５ｍｍ以上であることが望ましい。
（２）先端２１が略半球状の湾曲面の場合。
先端２１が透湿防水シートや通気層確保部材へと押し込まれる許容長さを０．３ｍｍと想定したときには、曲率半径が０．３ｍｍ以上、さらに好ましくは０．５ｍｍ以上であることが望ましい。
なお、前記曲率半径の範囲は、前記許容長さによっても変化する。
【００２０】
＜４＞使用状態
図２に、本発明に係るウレタン厚さ確認ピンＡの使用イメージ図を示す。
図２（ａ）は、壁断熱において、柱または間柱Ｃ１の間に設ける断熱層Ｂにウレタン厚さ確認ピンＡを用いた場合を示す。
図２（ｂ）は、天井の断熱において、垂木Ｃ２間に設ける断熱層Ｂにウレタン厚さ確認ピンＡを用いた場合を示す。
これらの断熱層Ｂに用いるウレタンは、水を発泡剤として用い、独立気泡率が１０％以下で、かつ密度が１０〜２５Ｋｇ／ｍ３である低密度連続気泡構造硬質ウレタンフォーム（いわゆる１００倍発泡品）や、いわゆる３０倍発泡品などのその他のウレタンフォームを用いることができる。
【００２１】
このように、透湿防水シートＤや通気層確保部材Ｅに対して、現場発泡ウレタンを直吹きしてなる断熱層Ｂに対して、本発明に係るウレタン厚さ確認ピンＡを差しこんだとしても、ピン２０の先端２１は、透湿防水シートＤや通気層確保部材Ｅを破損または貫通することなく、断熱層Ｂの背面縁上に留まるため、断熱層Ｂの厚さを正確に確認することができる。
【符号の説明】
【００２２】
Ａ    ウレタン厚さ確認ピン
１０  押圧部
１１  表示部
２０  ピン
２１  先端
Ｂ    断熱層
Ｃ１  柱または間柱
Ｃ２  垂木
Ｄ    透湿防水シート
Ｅ    通気層確保用部材
【図１】
2016197073.tif 000003
【図２】
2016197073.tif 000004